(57)【要約】      （修正有）【課題】霧噴射装置において、粘性の高い変色した液などが、霧を噴射する際にノズルから出て周囲を汚すことや、ノズルやパイプなどに残留することを防ぐことにより、定期的な噴射のテスト動作や廃液を捨てる作業をする必要がなくなる、霧噴射装置を提供する。【解決手段】霧噴射装置において、噴射液をたくわえる噴射液容器１と、起動信号を受け付けた後に、予め定めた第１の設定時間だけ、噴射液を吸いだし、加熱器に送り込むポンプ２と、噴射液を加熱し霧状にしてノズルから噴射させる加熱器３とを備える。噴射液容器とポンプ間に、気体取込部１１を設け、第１の設定時間終了後に予め定めた第２の設定時間だけ、気体取込部から気体をポンプにより加熱器に送り込む。【選択図】図１
2020194457.tif 000002
【特許請求の範囲】
【請求項１】
噴射液をたくわえる噴射液容器と、起動信号を受け付けた後に、予め定めた第１の設定時間だけ、前記噴射液を吸いだし、加熱器に送り込むポンプと、前記噴射液を加熱し霧状にしてノズルから噴射させる加熱器とを備えた霧噴射装置において、
前記噴射液容器と前記ポンプ間に気体取込部を設け、
第１の設定時間終了後に予め定めた第２の設定時間だけ、前記気体取込部から気体を前記ポンプにより前記加熱器に送り込むことを特徴とする霧噴射装置。
【請求項２】
前記気体取込部に２方弁を備えた請求項１に記載の霧噴射装置。
【請求項３】
前記気体取込部に３方弁を備えた請求項１に記載の霧噴射装置。
【請求項４】
噴射液をたくわえる噴射液容器と、起動信号を受け付けた後に、予め定めた第１の設定時間だけ、前記噴射液を吸いだし、加熱器に送り込むポンプと、前記噴射液を加熱し霧状にしてノズルから噴射させる加熱器とを備えた霧噴射装置において、
前記ポンプと前記加熱器間に、２方弁または３方弁と圧縮ボンベとを備えた気体取込部を設け、
第１の設定時間終了後に予め定めた第３の設定時間だけ、前記気体取込部から前記圧縮ボンベ内の気体を前記圧縮ボンベの圧力により前記加熱器に送り込むことを特徴とする霧噴射装置。
【請求項５】
前記加熱器は、上下方向に伸びる螺旋状のパイプを備え、
噴射液が、前記螺旋状のパイプの下部に送られ、前記螺旋状パイプの上部から前記ノズルに送られる請求項１〜４のいずれか１項に記載の霧噴射装置。
【発明の詳細な説明】
【技術分野】
【０００１】
本発明は、泥棒が侵入した際の侵入警報信号等によって起動される装置であり、室内や店舗内に霧を充満させて視界を妨げ、泥棒の窃盗行為そのものを不可能にさせる霧噴射装置に関するものである。
【背景技術】
【０００２】
霧噴射装置は、金庫を置いた室内や、宝石や高級腕時計などの貴金属を陳列したショーケースがたくさん並んだ貴金属店の店舗内等に設置して用いるものであり、セキュリティシステムが泥棒を検出したときに、一定時間霧を噴射し、室内を視界不良状態にし、泥棒の行動を阻止するものである。霧を発生させる基本原理は周知であり、実用化されている。  
【０００３】
霧噴射装置の基本構成は、噴射液をたくわえる容器、容器内の噴射液を吸い出し加熱器に送り込むポンプ、噴射液を高温に加熱し霧状にしてノズルから噴射させる加熱器からなるものであり、そのほか、ポンプの作動と停止、加熱器の温度をコントロールする制御部を備えている（例えば、特許文献１参照）。
【０００４】
噴射液としては、ジプロピレングリコールやトリエチレングリコール等のグリコール類と水やアルコールとの混合液を使用するのが一般的である。
【先行技術文献】
【特許文献】
【０００５】
【特許文献１】特開２００３−０８５６６３号公報
【発明の概要】
【発明が解決しようとする課題】
【０００６】
従来の霧噴射装置においては、ポンプが動き続けることで、噴射液が常に加熱器内に流れ、次々に液が気化することで噴射口から霧が勢いよく押し出され続けて噴出するが、ポンプが止まると噴射液の流れが止まり、加熱器内の液は熱で気化された状態が保持され、加熱器以外では、噴射液が液体として充満された状態でとどまることになる。
【０００７】
加熱器は霧を噴射していないときも予熱しており、ノズルや加熱器とポンプ間のパイプにとどまっている噴射液に加熱器の熱が継続して加わるが、加熱器から離れた位置にある噴射液は気化する温度にならずに、液体のまま酸化反応（液の劣化）が促進され噴射液が茶褐色などに変色したり、粘性が高くなったりする。その液が、ノズルやパイプなどに残留する恐れや、霧を噴射する際にノズルから出て周囲を汚す恐れがあった。
【０００８】
このため、定期的に噴射のテスト動作をさせ劣化した噴射液を綺麗な噴射液で送り出す必要があったが、テスト動作は手動で行っており、定期的にテスト動作をさせるために機器設置場所まで行くか、遠隔で動作入力を与える必要があり、手間がかかっていた。
【０００９】
また、噴射後にパイプにたまった液を機器内部で一旦受け皿にためる構造の機器も存在するが、定期的にその受け皿の廃液を捨てる作業が必要になり、手間がかかっていた。
【課題を解決するための手段】
【００１０】
上記課題を解決するために、本発明の霧噴射装置は、噴射液をたくわえる噴射液容器と、起動信号を受け付けた後に、予め定めた第１の設定時間だけ、前記噴射液を吸いだし、加熱器に送り込むポンプと、前記噴射液を加熱し霧状にしてノズルから噴射させる加熱器とを備え、前記噴射液容器と前記ポンプ間に気体取込部を設け、第１の設定時間終了後に予め定めた第２の設定時間だけ、前記気体取込部から気体を前記ポンプにより前記加熱器に送り込む。
【発明の効果】
【００１１】
本発明によれば、ノズルやパイプにとどまる噴射液を気体取込部から取り込んだ気体で送り出すことにより排出し、加熱器の熱影響を受ける範囲に噴射液がとどまることがなくなり、噴射液の酸化反応（劣化）が起こらなくなる。よって、粘性の高い変色した液などが、霧を噴射する際にノズルから出て周囲を汚すことや、ノズルやパイプなどに残留することがなくなる。これに伴い、定期的な噴射のテスト動作や廃液を捨てる作業をする必要がなくなる。
【図面の簡単な説明】
【００１２】
【図１】本発明の霧噴射装置の第１の実施形態の概略を示したブロック図である。
【図２】２方弁αの状態を示した図である。
【図３】本発明の霧噴射装置の第２の実施形態の概略を示したブロック図である。
【図４】３方弁βの状態を示した図である。
【図５】本発明の霧噴射装置の第３の実施形態の概略を示したブロック図である。
【図６】２方弁γの状態を示した図である。
【図７】本発明の霧噴射装置の第４の実施形態の概略を示したブロック図である。
【図８】３方弁δの状態を示した図である。
【図９】加熱器３の構造を示した図である。
【図１０】加熱器１００の構造を示した図である。
【発明を実施するための形態】
【００１３】
図１は、本発明の霧噴射装置の第１の実施形態の概略を示したブロック図である。１は噴射液をたくわえておく噴射液容器、２はポンプ、３は噴射液を急激に加熱して霧を作り出す加熱器、４は霧を噴射するノズル、５、６、７は金属製のパイプ、１１は空気を取り込むための気体取込部である。気体取込部１１は２方弁αを備え、２方弁αは噴射液容器内の噴射液より高い位置になるようにしている。加熱器３は、予め高温状態に保たれた加熱装置を内蔵しており、ポンプ２の働きにより勢いよく流入する噴射液は、ここで急激に加熱され気化し、霧となって、ノズル４から噴出する。噴射液としては、ジプロピレングリコールやトリエチレングリコール等のグリコール類と水やアルコールとの混合液が一般的である。
【００１４】
図９は、加熱器３の構造を示した図である。加熱器３は、円筒形のヒーター３２を備え、ヒーター３２の外周を上下方向に伸びる螺旋状のパイプ３１が巻かれている。噴射液は、パイプ７を介しパイプ３１の下部に送られ、ヒーター３２で急激に加熱され気化し、パイプ３１の上部からノズル４へ送られ霧となって噴出される。
【００１５】
図示は省略するが、霧噴射装置は、霧噴射用の起動信号を受け付け、ポンプ２を所定の時間だけ駆動したり、加熱器３の温度や気体取込部１１（２方弁α）の動作を制御したりする働きを担う制御部を備えている。さらに、噴射液容器１の外周には、ヒーターを巻きつけた放熱板を設け、パイプ５の先端（噴射液吸入部）に熱電対などの温度測定器が取り付けられており、ヒーターの温度制御を行っている。噴射液容器１を接続するナットなどの固定部を介して、パイプ５が噴射液容器１に接続されている。噴射液容器１は、ヒーターの上から保温材によって覆われている。
【００１６】
所定の温度以下になったことを熱電対で検知し、ヒーターをオンにし、放熱板を加熱することで放熱板から発せられる熱により、噴射液が温められると、その温度が、熱電対に伝わり、所定の温度以上になったことを熱電対で検知して、ヒーターをオフにする。この一連の動作により、噴射液容器１内の噴射液は、低温となって粘度が高くなる前に加熱され、粘度の低い状態が維持される。
【００１７】
図１と図２を用いて霧噴射時の動作を説明する。図２は、２方弁αの状態を示した図であり、図２（ａ）が待機時の状態、図２（ｂ）が第１の設定時間の状態、図２（ｃ）は第２の設定時間の状態である。
【００１８】
霧噴射装置は、金庫などが置かれた重点警戒エリア内に設置され、泥棒が侵入した際に作動するセキュリティシステムからの起動信号を受けて霧を噴射する。起動信号を受けて即座に霧を噴射する必要があるため、待機時においても電源が供給され、加熱器３が予熱されるようになっている。待機時では２方弁αは「閉」状態となっている。
【００１９】
起動信号を受け付けると、第１の設定時間から第２の設定時間にかけてポンプ２を駆動する。第１の設定時間においては、２方弁αは「閉」状態であり、噴射液容器内の噴射液がパイプ５、気体取込部１１、パイプ６、ポンプ２、パイプ７を介して、加熱器３へ送りこまれ、加熱器３にて高温に加熱され霧状になって、ノズル４から噴射される。
【００２０】
第１の設定時間終了後、第２の設定時間だけ、２方弁αは「開」状態となり、α２からα１の方向に周囲の空気が流れ込み、パイプ５内の噴射液は噴射液容器１に戻り、パイプ６、ポンプ２、パイプ７、加熱器３、ノズル４に残った噴射液はノズル４から噴射され、とどまらないようになる。また、２方弁αは噴射液容器内の噴射液より高い位置のため、α２側へ噴射液が漏れることはない。
第２の設定時間終了後は、待機時に戻り、ポンプ２は停止し、２方弁αは「閉」状態となる。
【００２１】
第１の設定時間は霧噴射装置が設置される部屋の大きさとポンプ２の排出量を考慮して決定し、第２の設定時間は気体取込部１１から加熱器３までの間の液量とポンプ２の排出量を考慮し決定する。
【００２２】
図１０のようなヒーター１０２の外周を左右方向に伸びる螺旋状のパイプ１０１が巻かれている加熱器１００を用いた場合、空気をパイプ１０１内に送り込んだとしても内部にたまっている飽和蒸気は送り込んだ空気とともに送り出されるが、パイプ１０１内に噴射液が残留する場合がある。そして空気の送り込みが止まると残った噴射液が再度蒸発し、飽和蒸気１０４となりパイプ１０１の螺旋上部にたまる。パイプ１０１内部の蒸気が飽和状態となり気化しきれない噴射液１０３は、パイプ１０１の螺旋下部にとどまり、加熱され続け、酸化反応（液の劣化）が促進される。
【００２３】
しかし、図９のようなヒーター３２の外周を上下方向に伸びる螺旋状のパイプ３１が巻かれ、パイプ３１の上部からノズル４へ霧を送る加熱器３を用いることで、噴射液は気化した蒸気が上昇する性質により上部にあるノズル４へ向かうと共に、パイプ７から加熱器３へ空気を送り込むと、パイプ３１内は飽和蒸気量が低下し乾燥した状態となることで、パイプ３１内の液体は空気中に取り込まれやすくなり、パイプ３１内に残る噴射液をなくすことができる。
【００２４】
ノズルやパイプにとどまる噴射液を気体取込部から取り込んだ空気で送り出すことにより排出し、加熱器の熱影響を受ける範囲に噴射液がとどまることがなくなる。
【００２５】
図３は、本発明の霧噴射装置の第２の実施形態の概略を示したブロック図である。第１の実施形態と第２の実施形態とは気体取込部のみ異なり、他は同じ構成である。第２の実施形態では気体取込部１２に３方弁βを備えており、気体取込部１２（３方弁β）は、第１の実施形態の気体取込部１１（２方弁α）と同様に制御部（図示省略）により動作が制御される。
【００２６】
図３と図４を用いて霧噴射時の動作を説明する。図４は、３方弁βの状態を示した図であり、図４（ａ）が待機時の状態、図４（ｂ）が第１の設定時間の状態、図４（ｃ）は第２の設定時間の状態である。
【００２７】
霧噴射装置は、起動信号を受けて即座に霧を噴射する必要があるため、待機時においても電源が供給され、加熱器３が予熱されるようになっている。待機時では３方弁βは、β１が「開」状態、β２が「閉」状態、β３が「開」状態となっている。
【００２８】
起動信号を受け付けると、第１の設定時間から第２の設定時間にかけてポンプ２を駆動する。第１の設定時間においては、３方弁βは、β１が「開」状態、β２が「閉」状態、β３が「開」状態であり、噴射液容器内の噴射液がパイプ５、気体取込部１２、パイプ６、ポンプ２、パイプ７を介して、加熱器３へ送りこまれ、加熱器３にて高温に加熱され霧状になって、ノズル４から噴射される。
【００２９】
第１の設定時間終了後、第２の設定時間だけ、３方弁βは、β１が「閉」状態、β２が「開」状態、β３が「開」状態となり、β２からβ３の方向に周囲の空気が流れ込み、パイプ６、ポンプ２、パイプ７、加熱器３、ノズル４に残った噴射液はノズル４から噴射され、とどまらないようになる。
【００３０】
第２の設定時間終了後は、待機時に戻り、ポンプ２は停止し、３方弁βは、β１が「開」状態、β２が「閉」状態、β３が「開」状態となる。
【００３１】
第２の設定時間において、第１の実施形態では、２方弁αが噴射液容器１内の噴射液より低い位置にするとサイフォンの原理により噴射液が２方弁αのα２側へ流れ出る可能性があるため、２方弁αを噴射液容器１内の噴射液より高い位置にする必要があったが、図４（ｃ）の状態でβ１が「閉」状態となっているため、第１の実施形態とは異なり、３方弁βを噴射液容器１内の噴射液より低い位置にしても、３方弁βから外へ液が漏れることはなく、どの位置にでも配置が可能である。
【００３２】
第１の実施形態において、待機時は図２（ａ）のように２方弁αを「閉」状態としたが、「開」状態としてもよい。また、第２の実施形態において、待機時は図４（ａ）のように３方弁βをβ１が「開」状態、β２が「閉」状態、β３が「開」状態としたが、β１、β２、β３は「開」状態と「閉」状態のどちらでもよい。
【００３３】
第１の実施形態および第２の実施形態において、気体取込部から周囲の空気でなく、２方弁αのα２または３方弁βのβ２に圧縮ボンベなどを接続し、第２の設定時間に圧縮ボンベから不燃性ガスなどを送り込んでもよく、取り込む気体は限定しない。
【００３４】
図５は、本発明の霧噴射装置の第３の実施形態の概略を示したブロック図である。１は噴射液をたくわえておく噴射液容器、２はポンプ、３は噴射液を急激に加熱して霧を作り出す加熱器、４は霧を噴射するノズル、８、９、１０は金属製のパイプ、１３は空気を取り込むための気体取込部である。気体取込部１３は２方弁γと圧縮ボンベＧを備えており、圧縮ボンベＧには圧縮した不燃性ガスなどを入れておく。加熱器３は、予め高温状態に保たれた加熱装置を内蔵しており、ポンプ２の働きにより勢いよく流入する噴射液は、ここで急激に加熱され気化し、霧となって、ノズル４から噴出する。噴射液としては、ジプロピレングリコールやトリエチレングリコール等のグリコール類と水やアルコールとの混合液が一般的である。
【００３５】
図９は、加熱器３の構造を示した図である。加熱器３は、円筒形のヒーター３２を備え、ヒーター３２の外周を上下方向に伸びる螺旋状のパイプ３１が巻かれている。噴射液は、パイプ１０を介しパイプ３１の下部に送られ、ヒーター３２で急激に加熱され気化し、パイプ３１の上部からノズル４へ送られ霧となって噴出される。
【００３６】
図示は省略するが、霧噴射装置は、霧噴射用の起動信号を受け付け、ポンプ２を所定の時間だけ駆動したり、加熱器３の温度や気体取込部１３（２方弁γ）の動作を制御したりする働きを担う制御部を備えている。さらに、噴射液容器１の外周には、ヒーターを巻きつけた放熱板を設け、パイプ８の先端（噴射液吸入部）に熱電対などの温度測定器が取り付けられており、ヒーターの温度制御を行っている。噴射液容器１を接続するナットなどの固定部を介して、パイプ８が噴射液容器１に接続されている。噴射液容器１は、ヒーターの上から保温材によって覆われている。
【００３７】
所定の温度以下になったことを熱電対で検知し、ヒーターをオンにし、放熱板を加熱することで放熱板から発せられる熱により、噴射液が温められると、その温度が、熱電対に伝わり、所定の温度以上に温まったことを検知して、ヒーターをオフにすることで、噴射液容器１内の噴射液は、低温となって粘度が高くなる前に加熱され、粘度の低い状態が維持される。
【００３８】
図５と図６を用いて霧噴射時の動作を説明する。図６は、２方弁γの状態を示した図であり、図６（ａ）が待機時の状態、図６（ｂ）が第１の設定時間の状態、図６（ｃ）は第３の設定時間の状態である。
【００３９】
霧噴射装置は、起動信号を受けて即座に霧を噴射する必要があるため、待機時においても電源が供給され、加熱器３が予熱されるようになっている。待機時では２方弁γは「閉」状態となっている。
【００４０】
起動信号を受け付けると、第１の設定時間だけポンプ２を駆動する。第１の設定時間においては、２方弁γは「閉」状態であり、噴射液容器内の噴射液がパイプ８、ポンプ２、パイプ９、気体取込部１３、パイプ１０を介して、加熱器３へ送りこまれ、加熱器３にて高温に加熱され霧状になって、ノズル４から噴射される。
【００４１】
第１の設定時間終了後、第３の設定時間だけ、２方弁γは「開」状態となり、圧縮ボンベＧ内の気体が圧縮ボンベＧの圧力によりγ２からγ１の方向に流れ込み、パイプ１０、加熱器３、ノズル４に残った噴射液はノズル４から噴射され、とどまらないようになる。
第３の設定時間終了後は、待機時に戻り、２方弁γは「閉」状態となる。
【００４２】
図１０のようなヒーター１０２の外周を左右方向に伸びる螺旋状のパイプ１０１が巻かれている加熱器１００を用いた場合、気体をパイプ１０１内に送り込んだとしても内部にたまっている飽和蒸気は送り込んだ気体とともに送り出されるが、パイプ１０１内に噴射液が残留する場合がある。そして気体の送り込みが止まると残った噴射液が再度蒸発し、飽和蒸気１０４となりパイプ１０１の螺旋上部にたまる。パイプ１０１内部の蒸気が飽和状態となり気化しきれない噴射液１０３は、パイプ１０１の螺旋下部にとどまり、加熱され続け、酸化反応（液の劣化）が促進される。
【００４３】
しかし、図９のようなヒーター３２の外周を上下方向に伸びる螺旋状のパイプ３１が巻かれ、パイプ３１の上部からノズル４へ霧を送る加熱器３を用いることで、噴射液は気化した蒸気が上昇する性質により上部にあるノズル４へ向かうと共に、パイプ１０から加熱器３へ気体を送り込むと、パイプ３１内は飽和蒸気量が低下し乾燥した状態となることで、パイプ３１内の液体は気体中に取り込まれやすくなり、パイプ３１内に残る噴射液をなくすことができる。
【００４４】
第３の設定時間において、２方弁γが「開」状態となったとしても圧縮ボンベＧの圧力により、噴射液が圧縮ボンベＧに流れ込むことはなく、気体取込部１３はポンプ２と加熱器３間のどの位置にでも配置可能である。
【００４５】
第１の設定時間は霧噴射装置が設置される部屋の大きさとポンプ２の排出量を考慮して決定し、第３の設定時間は気体取込部１３から加熱器３までの間の液量と圧縮ボンベＧの圧力を考慮し決定する。
【００４６】
ノズルやパイプにとどまる噴射液を気体取込部から取り込んだ気体で送り出すことにより排出し、加熱器の熱影響を受ける範囲に噴射液がとどまることがなくなる。
【００４７】
図７は、本発明の霧噴射装置の第４の実施形態の概略を示したブロック図である。第３の実施形態と第４の実施形態とは気体取込部のみ異なり、他は同じ構成である。第４の実施形態では気体取込部１４に３方弁δを備えており、気体取込部１４（３方弁δ）は、第３の実施形態の気体取込部１３（２方弁γ）と同様に制御部（図示省略）により動作が制御される。
【００４８】
図７と図８を用いて霧噴射時の動作を説明する。図８は、３方弁δの状態を示した図であり、図８（ａ）が待機時の状態、図８（ｂ）が第１の設定時間の状態、図８（ｃ）は第３の設定時間の状態である。
【００４９】
霧噴射装置は、起動信号を受けて即座に霧を噴射する必要があるため、待機時においても電源が供給され、加熱器３が予熱されるようになっている。待機時では３方弁δは、δ１が「開」状態、δ２が「閉」状態、δ３が「開」状態となっている。
【００５０】
起動信号を受け付けると、第１の設定時間だけポンプ２を駆動する。第１の設定時間においては、３方弁δは、δ１が「開」状態、δ２が「閉」状態、δ３が「開」状態であり、噴射液容器内の噴射液がパイプ８、ポンプ２、パイプ９、気体取込部１４、パイプ１０を介して、加熱器３へ送りこまれ、加熱器３にて高温に加熱され霧状になって、ノズル４から噴射される。
【００５１】
第１の設定時間終了後、第３の設定時間だけ、３方弁δは、δ１が「閉」状態、δ２が「開」状態、δ３が「開」状態となり、圧縮ボンベＧ内の気体が圧縮ボンベＧの圧力によりδ２からδ３の方向に流れ込み、パイプ１０、加熱器３、ノズル４に残った噴射液はノズル４から噴射され、とどまらないようになる。
【００５２】
第３の設定時間終了後は、待機時に戻り、３方弁δは、δ１が「開」状態、δ２が「閉」状態、δ３が「開」状態となる。
【００５３】
第３の設定時間において、３方弁δのδ２が「開」状態となったとしても圧縮ボンベＧの圧力により、噴射液が圧縮ボンベＧに流れ込むことはなく、気体取込部１４はポンプ２と加熱器３間のどの位置にでも配置可能である。
【００５４】
第４の実施形態において、待機時は図８（ａ）のように３方弁δをδ１が「開」状態、δ２が「閉」状態、δ３が「開」状態としたが、δ１、δ３は「開」状態と「閉」状態のどちらでもよく、第３の設定時間のときは図８（ｃ）のように３方弁δをδ１が「閉」状態、δ２が「開」状態、δ３が「開」状態としたが、δ１は「開」状態と「閉」状態のどちらでもよい。また、第３の実施形態、第４の実施形態において、気体取込部から取り込む気体は限定しない。
【００５５】
以上、本発明の実施形態を説明したが、前述の実施形態は例として提示したものであり、発明の範囲は、これに限定するものではなく、その他の様々な形態で実施されることが可能であり、特許請求の範囲に記載された発明の範囲とその均等の範囲に含まれるものである。
【符号の説明】
【００５６】
１・・・噴射液容器
２・・・ポンプ
３，１００・・・加熱器
４・・・ノズル
５，６，７，８，９，１０，３１，１０１・・・パイプ
１１，１２，１３，１４・・・気体取込部
３２，１０２・・・ヒーター
１０３・・・気化しきれない噴射液
１０４・・・飽和蒸気
α，γ・・・２方弁
β，δ・・・３方弁
Ｇ・・・圧縮ボンベ
【図１】
2020194457.tif 000003
【図２】
2020194457.tif 000004
【図３】
2020194457.tif 000005
【図４】
2020194457.tif 000006
【図５】
2020194457.tif 000007
【図６】
2020194457.tif 000008
【図７】
2020194457.tif 000009
【図８】
2020194457.tif 000010
【図９】
2020194457.tif 000011
【図１０】
2020194457.tif 000012